(57)【特許請求の範囲】
【請求項１】
人が車両に接近したことを検出する人体検出手段と、
前記人が前記車両に対して所定の距離以内に近づいたことを前記人体検出手段で検出したことに応じて実行される、前記車両に搭載された送受信機とユーザが所有する携帯機との相互認証の結果、前記ユーザが正規の車両所有者であることが認証されたときに、操作意思を検知する表示を路面上に照射により形成する光照射手段と、
前記操作意思を検知する表示の表示領域を含む領域に信号を出力するとともに、この出力信号と該出力信号に対する反射信号との変化量に基づいて、前記ユーザの操作意思を検出する操作意思検出手段と、
前記操作意思検出手段の検出結果に基づいて、前記車両の開閉体のロック／アンロック状態を制御する車両開閉体制御手段と、
前記車両のシフトレバーの操作位置がリバース位置に切換えられた際に、前記人体検出手段を障害物の有無を検出する障害物検出手段として機能させる切替制御手段と、
前記人体検出手段が前記障害物検出手段として機能した際に、前記車両の開閉体が開閉する軌跡上に障害物を検出したことに応じて、前記車両内の運転者に前記障害物があることを促す警告を行う警告手段と、
を備えることを特徴とする車両開閉体制御装置。
【請求項２】
人が車両に接近したことを検出する人体検出手段と、
前記人が前記車両に対して所定の距離以内に近づいたことを前記人体検出手段で検出したことに応じて実行される、前記車両に搭載された送受信機とユーザが所有する携帯機との相互認証の結果、前記ユーザが正規の車両所有者であることが認証されたときに、操作意思を検知する表示を路面上に照射により形成する光照射手段と、
前記操作意思を検知する表示の表示領域を含む領域に信号を出力するとともに、この出力信号と該出力信号に対する反射信号との変化量に基づいて、前記ユーザの操作意思を検出する操作意思検出手段と、
前記操作意思検出手段の検出結果に基づいて、前記車両の開閉体のロック／アンロック状態を制御する車両開閉体制御手段と、
前記車両のシフトレバーの操作位置がリバース位置に切換えられた際に、前記人体検出手段を障害物の有無を検出する障害物検出手段として機能させる切替制御手段と、
を備え、
前記人体検出手段が前記障害物検出手段として機能した際に、前記車両の開閉体が開閉する軌跡上に障害物を検出したことに応じて、前記光照射手段が、操作意思を検知する表示を路面上に照射により形成しないことおよび前記操作意思検出手段が前記操作意思を検知する表示の表示領域を含む領域に信号を出力しないことを特徴とする請求項１に記載の車両開閉体制御装置。
【請求項３】
前記切替制御手段は、前記操作意思検出手段を路面上の障害物の有無を検出する路面障害物検出手段として機能させることを特徴とする請求項１又は請求項２に記載の車両開閉体制御装置。
【請求項４】
人が車両に接近したことを検出する人体検出手段と切替制御手段と認証手段と光照射手段と操作意思検出手段と車両開閉体制御手段と車両開閉体駆動手段と警告手段とを備えた車両開閉体制御装置における車両開閉体制御方法であって、
前記切替制御手段が、前記車両のシフトレバーの操作位置がリバース位置に切換えられた際に、前記人体検出手段を障害物の有無を検出する障害物検出手段として機能させる第１のステップと、
前記障害物検出手段として機能する前記人体検出手段が、前記車両の開閉体が開閉する軌跡上に障害物を検出する第２のステップと、
前記認証手段が、前記人が前記車両に対して所定の距離以内に近づいたことを前記人体検出手段で検出したことに応じて実行する、前記車両に搭載された送受信機とユーザが所有する携帯機との相互認証の結果、前記ユーザが正規の車両所有者であることを認証する第３のステップと、
前記第２のステップで障害物が検出されなかった場合に、前記光照射手段が、操作意思を検知する表示を路面上に照射により形成するとともに、前記操作意思検出手段が、前記操作意思を検知する表示の表示領域を含む領域に信号を出力する第４のステップと、
前記車両開閉体制御手段が、前記操作意思検出手段の検出結果に基づいて、前記車両の開閉体のロック／アンロック状態を制御する第５のステップと、
前記車両開閉体駆動手段が、前記車両開閉体制御手段の制御に基づいて、前記車両の開閉体を駆動する第６のステップと、
前記警告手段が、前記第１のステップで前記人体検出手段が前記障害物検出手段として機能した際に、前記第２のステップで前記車両の開閉体が開閉する軌跡上に障害物を検出したことに応じて、前記車両内の運転者に前記障害物があることを促す警告を行う第７のステップと、
を備えたことを特徴とする車両開閉体制御方法。
【請求項５】
人が車両に接近したことを検出する人体検出手段と切替制御手段と認証手段と光照射手段と操作意思検出手段と車両開閉体制御手段と車両開閉体駆動手段と警告手段とを備えた車両開閉体制御装置における車両開閉体制御方法をコンピュータに実行させるためのプログラムであって、
前記切替制御手段が、前記車両のシフトレバーの操作位置がリバース位置に切換えられた際に、前記人体検出手段を障害物の有無を検出する障害物検出手段として機能させる第１のステップと、
前記障害物検出手段として機能する前記人体検出手段が、前記車両の開閉体が開閉する軌跡上に障害物を検出する第２のステップと、
前記認証手段が、前記人が前記車両に対して所定の距離以内に近づいたことを前記人体検出手段で検出したことに応じて実行する、前記車両に搭載された送受信機とユーザが所有する携帯機との相互認証の結果、前記ユーザが正規の車両所有者であることを認証する第３のステップと、
前記第２のステップで障害物が検出されなかった場合に、前記光照射手段が、操作意思を検知する表示を路面上に照射により形成するとともに、前記操作意思検出手段が、前記操作意思を検知する表示の表示領域を含む領域に信号を出力する第４のステップと、
前記車両開閉体制御手段が、前記操作意思検出手段の検出結果に基づいて、前記車両の開閉体のロック／アンロック状態を制御する第５のステップと、
前記車両開閉体駆動手段が、前記車両開閉体制御手段の制御に基づいて、前記車両の開閉体を駆動する第６のステップと、
前記警告手段が、前記第１のステップで前記人体検出手段が前記障害物検出手段として機能した際に、前記第２のステップで前記車両の開閉体が開閉する軌跡上に障害物を検出したことに応じて、前記車両内の運転者に前記障害物があることを促す警告を行う第７のステップと、
をコンピュータに実行させるためのプログラム。
【発明の詳細な説明】
【技術分野】
【０００１】
本発明は、車両用開閉体制御装置、車両開閉体制御方法及びプログラムに関する。
【背景技術】
【０００２】
従来、携帯機を所有した運転者が車両のドアハンドルに触れることによって、車両のドアロックが解除される、いわゆる、スマートエントリーシステムが知られている。
【０００３】
この技術は、運転者の利便性を高める上では、有用なものであるが、携帯機を所有した運転者が車両のドアハンドルに触れることが、車両のドアロック解除のための絶対条件であることから、例えば、運転者が両手に多くの荷物を持っている場合等には、操作しづらいという問題があった。
【０００４】
こうした問題に対応して、操作意思を検知する表示を路面上に照射により形成し、当該表示を足等で触れることにより、光を遮断し、ドアロックを解除できる装置が提案されている（例えば、特許文献１参照。）。
【先行技術文献】
【特許文献】
【０００５】
【特許文献１】特許第５３８２０５０号
【発明の概要】
【発明が解決しようとする課題】
【０００６】
上記特許文献１に記載の技術は、運転者の両手が塞がっている状態にあっても、その意思に合わせて開閉体を選択的に開作動又は閉作動することができるという効果を有するものの、駐車場所が壁や他車と近接している状況を想定していないため、特に後方駐車した際に、壁や他車と車両後方との距離が狭くなってしまうことで、車両後方に表示される操作意思を検知する表示を足等で操作できない場合が生じるといったように、駐車状況によっては機能を活用できないという問題点があった。
【０００７】
そこで、本発明は、上述の課題に鑑みてなされたものであり、ユーザの操作意思を検知する表示を足等で操作できるように、車両を駐車させる車両開閉体制御装置、車両開閉体制御方法及びプログラムを提供することを目的とする。
【課題を解決するための手段】
【０００８】
本発明者は、上記の課題を解決するために以下の事項を提案している。
【０００９】
（１）本発明は、人が車両に接近したことを検出する人体検出手段と、前記人が前記車両に対して所定の距離以内に近づいたことを前記人体検出手段で検出したことに応じて実行される、車両に搭載された送受信機とユーザが所有する携帯機との相互認証の結果、前記ユーザが正規の車両所有者であることが認証されたときに、操作意思を検知する表示を路面上に照射により形成する光照射手段と、前記操作意思を検知する表示の表示領域を含む領域に信号を出力するとともに、この出力信号と該出力信号に対する反射信号との変化量に基づいて、前記ユーザの操作意思を検出する操作意思検出手段と、前記操作意思検出手段の検出結果に基づいて、前記車両の開閉体のロック／アンロック状態を制御する車両開閉体制御手段と、前記車両のシフトレバーの操作位置がリバース位置に切換えられた際に、前記人体検出手段を障害物の有無を検出する障害物検出手段として機能させる切替制御手段と、を備えることを特徴とする車両開閉体制御装置を提案している。
【００１０】
（２）本発明は、（１）の車両開閉体制御装置について、前記人体検出手段が前記障害物検出手段として機能した際に、前記車両の開閉体が開閉する軌跡上に障害物を検出したことに応じて、前記車両内の運転者に前記障害物があることを促す警告を行う警告手段を備えることを特徴とする車両開閉体制御装置を提案している。
【００１１】
（３）本発明は、（１）の車両開閉体制御装置について、前記人体検出手段が前記障害物検出手段として機能した際に、前記車両の開閉体が開閉する軌跡上に障害物を検出したことに応じて、前記光照射手段が、操作意思を検知する表示を路面上に照射により形成しないことおよび前記操作意思検出手段が前記操作意思を検知する表示の表示領域を含む領域に信号を出力しないことを特徴とする車両開閉体制御装置を提案している。
【００１２】
（４）本発明は、人が車両に接近したことを検出する人体検出手段と、前記人が前記車両に対して所定の距離以内に近づいたことを前記人体検出手段で検出したことに応じて実行される、車両に搭載された送受信機とユーザが所有する携帯機との相互認証の結果、前記ユーザが正規の車両所有者であることが認証されたときに、操作意思を検知する表示を路面上に照射により形成する光照射手段と、前記操作意思を検知する表示の表示領域を含む領域に信号を出力するとともに、この出力信号と該出力信号に対する反射信号との変化量に基づいて、前記ユーザの操作意思を検出する操作意思検出手段と、前記操作意思検出手段の検出結果に基づいて、前記車両の開閉体のロック／アンロック状態を制御する車両開閉体制御手段と、前記操作意思検出手段を路面上の障害物の有無を検出する路面障害物検出手段として機能させる切替制御手段と、を備えることを特徴とする車両開閉体制御装置を提案している。
【００１３】
（５）本発明は、人が車両に接近したことを検出する人体検出手段と切替制御手段と認証手段と光照射手段と操作意思検出手段と車両開閉体制御手段と車両開閉体駆動手段とを備えた車両開閉体制御装置における車両開閉体制御方法であって、前記切替制御手段が、前記車両のシフトレバーの操作位置がリバース位置に切換えられた際に、前記人体検出手段を障害物の有無を検出する障害物検出手段として機能させる第１のステップと、前記障害物検出手段として機能する前記人体検出手段が、前記車両の開閉体が開閉する軌跡上に障害物を検出する第２のステップと、前記認証手段が、前記人が前記車両に対して所定の距離以内に近づいたことを前記人体検出手段で検出したことに応じて実行する、車両に搭載された送受信機とユーザが所有する携帯機との相互認証の結果、前記ユーザが正規の車両所有者であることを認証する第３のステップと、前記第２のステップで障害物が検出されなかった場合に、前記光照射手段が、操作意思を検知する表示を路面上に照射により形成するとともに、前記操作意思検出手段が、前記操作意思を検知する表示の表示領域を含む領域に信号を出力する第４のステップと、前記車両開閉体制御手段が、前記操作意思検出手段の検出結果に基づいて、前記車両の開閉体のロック／アンロック状態を制御する第５のステップと、前記車両開閉体駆動手段が、前記車両開閉体制御手段の制御に基づいて、前記車両の開閉体を駆動する第６のステップと、を備えたことを特徴とする車両開閉体制御方法を提案している。
【００１４】
（６）本発明は、人が車両に接近したことを検出する人体検出手段と切替制御手段と認証手段と光照射手段と操作意思検出手段と車両開閉体制御手段と車両開閉体駆動手段とを備えた車両開閉体制御装置における車両開閉体制御方法をコンピュータに実行させるためのプログラムであって、前記切替制御手段が、前記車両のシフトレバーの操作位置がリバース位置に切換えられた際に、前記人体検出手段を障害物の有無を検出する障害物検出手段として機能させる第１のステップと、前記障害物検出手段として機能する前記人体検出手段が、前記車両の開閉体が開閉する軌跡上に障害物を検出する第２のステップと、前記認証手段が、前記人が前記車両に対して所定の距離以内に近づいたことを前記人体検出手段で検出したことに応じて実行する、車両に搭載された送受信機とユーザが所有する携帯機との相互認証の結果、前記ユーザが正規の車両所有者であることを認証する第３のステップと、前記第２のステップで障害物が検出されなかった場合に、前記光照射手段が、操作意思を検知する表示を路面上に照射により形成するとともに、前記操作意思検出手段が、前記操作意思を検知する表示の表示領域を含む領域に信号を出力する第４のステップと、前記車両開閉体制御手段が、前記操作意思検出手段の検出結果に基づいて、前記車両の開閉体のロック／アンロック状態を制御する第５のステップと、前記車両開閉体駆動手段が、前記車両開閉体制御手段の制御に基づいて、前記車両の開閉体を駆動する第６のステップと、をコンピュータに実行させるためのプログラムを提案している。
【発明の効果】
【００１５】
本発明によれば、後方に表示されるユーザの操作意思を検知する表示を足等で操作できるように、車両を駐車させることができることにより、ユーザの操作意思を検知する表示を足等で操作できない場合を解消することができるという効果がある。すなわち、駐車の際に、後方の壁や他車との距離が、ユーザの操作意思を検知する表示が形成できないほど狭くなってしまったことを人体検出手段を利用して検出して運転者に警告することでユーザの操作意思を検知する表示を足等で操作できない場合を解消することができる。
【００１６】
また、駐車場所の状況上、後方に表示されるユーザの操作意思を検知する表示を足等で操作できない場合には、その表示をさせないようにすることもできるという効果がある。さらに、光照射手段を利用して路面上の障害物を検出することで、路面上の障害物によって、ユーザの操作意思を検知する表示を足等で操作できない場合を解消することができるという効果がある。
【００１７】
このように、障害物センサを車両に別途備えなくても、既に備えられている人体検出手段や光照射手段を利用して、車両後方の障害物の検出を可能にし、ユーザの操作意思を検知する表示を足等で操作できない場合を解消することができるという効果がある。
【図面の簡単な説明】
【００１８】
【図１】本発明の実施形態に係る車両開閉体制御装置の構成を示す図である。
【図２】本発明の実施形態に係る認証部の構成を示す図である。
【図３】本発明の実施形態に係る車両開閉体制御装置により形成する操作意思を検知する表示のイメージを示した図である。
【図４】本発明の実施形態に係る車両用の光学測定装置の実施例のための光照射部および操作意思検出部を示す模式的な斜視図である。
【図５】本発明の実施形態に係る光照射部および操作意思検出部の構成を示す図である。
【図６】本発明の実施形態の変形例に係る光照射部および操作意思検出部の構成を示す図である。
【図７】本発明の実施形態に係る車両開閉体制御装置の処理を示す図である。
【図８】本発明の第１の変形例に係る車両開閉体制御装置の構成を示す図である。
【図９】本発明の第１の変形例に係る操作意思を検知する表示のイメージを示した図である。
【図１０】本発明の第１の変形例に係る光照射部および操作意思検出部の構成を示す図である。
【図１１】本発明の第２の変形例に係る車両開閉体制御装置の構成を示す図である。
【図１２】本発明の第２の変形例に係る操作意思を検知する表示のイメージを示した図である。
【図１３】本発明の第２の変形例に係る光照射部および操作意思検出部の構成を示す図である。
【発明を実施するための形態】
【００１９】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２０】
＜実施形態＞
以下、図１から図７を用いて、本発明の実施形態について説明する。
【００２１】
＜車両開閉体制御装置の構成＞
図１を用いて、本実施形態に係る車両開閉体制御装置の構成について説明する。
【００２２】
本発明に係る車両開閉体制御装置は、図１に示すように、認証部１００と、光照射部２００と、人体検出部３００と、操作意思検出部４００と、切替制御部５００と、車両開閉体制御部６００と、車両開閉体駆動部７００と、装置制御部１０００とから構成されている。
【００２３】
認証部１００は、車両に搭載された送受信機とユーザが所有する携帯機との間で、相互認証処理を行なう。なお、認証部１００の詳細な構成については、後述する。また、ここで記載する相互認証処理は、あくまでも一例であり、相互認証処理を実行できるのであれば、他の処理方法によってもよい。
【００２４】
光照射部２００は、操作意思を検知する表示を路面上に可視光の照射によって形成する。操作意思検出部４００は、操作意思を検知する表示の表示領域を含む領域に、例えば、不可視光を照射するとともに、この照射光とこれに対する反射光との光量の変化に基づいて、ユーザの操作意思を検出する。なお、光照射部２００、操作意思検出部４００は、車両の複数箇所に備えられる。つまり、後方のバックドアハンドル、側方のドアハンドル、サイドミラー等の車両の前後左右における異なる部位に備えられてもよいし、後方や側方といった一方面の複数個所に備え、一方面の複数の方向を照射できるようにしてもよい。光照射部２００、操作意思検出部４００等の詳細な構成については、後述する。
【００２５】
人体検出部３００は、人が車両に接近したことを検出する。人体検出部３００は、人が車両に接近したことを検出すると、認証部１００の処理が開始する。また、人体検出部３００は、切替制御部５００によって障害物検出部として機能させられ、人体検出部３００が備えられた車両後方の車両開閉体の開閉の軌跡上の障害物の有無を検出する。ここで、人体検出部３００は、赤外線、ミリ波レーダー、超音波等を射出し、その反射光によって、人体やモノとの距離を測定して近接状態を検出するようなもの等である。
【００２６】
切替制御部５００は、車両のシフトレバーの操作位置がリバース位置に入ったことを検出すると、人体検出部３００を障害物検出部として機能させる。そして、切替制御部５００は、車両のシフトレバーの操作位置がリバース位置からニュートラル位置等といったリバース位置以外の位置に入ったことを検出すると、人体検出部３００を人が車両に接近したことを検出する本来の機能に戻す。なお、車両のシフトレバーの操作位置がリバース位置に入ったことには、シフトレバーの操作位置を検出するに加え、ギア位置を検出することも含む。
【００２７】
また、切替制御部５００は、車両のシフトレバーの操作位置がリバース位置に入ったことを検出すると、操作意思検出部４００を路面上の障害物を検出する路面障害物検出部として機能させる。路面障害物検出部として機能する操作意思検出部４００は、照射した赤外線等の反射光を評価・演算することにより障害物の有無を検知する。例えば、基準となる反射率に対して、水や雪、路面までの距離の変化に応じた閾値以上になった場合に、障害物があると路面障害物検出部として機能する操作意思検出部４００は検出する。
【００２８】
そして、切替制御部５００は、車両のシフトレバーの操作位置がリバース位置からニュートラル位置等といったリバース位置以外の位置に入ったことを検出すると、操作意思検出部４００を操作意思の検知を行う表示に切り替え、路面上に照射する本来の機能に戻す。
【００２９】
なお、切替制御部５００は、車両のシフトレバーの操作位置がドライブ位置などの走行制御を行う位置に入ったことを検出した場合にも、操作意思検出部４００を路面障害物検出部として機能させて、車両の通常走行中においては、路上の障害物を検出するようにしてもよい。人体検出部３００も同様である。
【００３０】
車両開閉体制御部６００は、操作意思検出部４００がユーザの操作意思を検知したときに、車両開閉体の開閉動作を制御する。なお、車両開閉体には、バックドア、サイドドア（リアドア）を少なくとも含む。
【００３１】
車両開閉体駆動部７００は、形成された操作意思を検知する表示上を遮る動作があったときに、車両開閉体を駆動する。
【００３２】
装置制御部１０００は、各部からの信号を受信し、ＲＯＭ（Ｒｅａｄ  Ｏｎｌｙ  Ｍｅｍｏｒｙ）に格納された制御プログラムにしたがって、車両開閉体制御装置全体の動作を制御する。例えば、人が車両に対して、所定の距離以内に近づいたときに、光照射部が、操作意思を検知する表示を車両外の所定の箇所に形成するよう制御する。
【００３３】
また、障害物検出部として機能している人体検出部３００や路面上障害物検出部として機能している操作意思検出部４００で、元の機能に戻る直前に障害物を検出していた場合には、装置制御部１０００は、操作意思を検知する表示を形成しないように操作意思検出部４００および光照射部２００を制御してもよい。それにより、ユーザが車両開閉体の開作動をして車両開閉体が障害物に衝突するのを防ぐことができる。
【００３４】
さらに、図示しない警告部を備え、障害物検出部として機能している人体検出部３００や路面上障害物検出部として機能している操作意思検出部４００で、障害物を検出した場合に、車両の運転者に、その旨を報知するように制御してもよい。
【００３５】
＜認証部の構成＞
図２を用いて、本実施形態に係る認証部の構成について説明する。
【００３６】
本実施形態に係る認証部は、図２に示すように、電子制御装置１１０と、送受信機１２０とから構成されており、携帯機１４０は、トランスポンダ１５０を内蔵した送受信回路を備えている。
【００３７】
電子制御装置１１０は、送受信機１２０と接続されており、送受信機１２０に対して電力伝送のための発振信号を出力するとともに、送受信機１２０を介して携帯機１４０に設けられるトランスポンダ１５０に記憶された携帯機側識別コードＩＤａが入力される。また、送受信機１２０は、アンプ１２１及びアンテナコイル１２２とから構成されている。
【００３８】
アンプ１２１は、電子制御装置１１０から入力する発振信号を増幅し、携帯機１４０に向けて発信するようになっている。
【００３９】
トランスポンダ１５０は、予め１つの車両に対して与えられている携帯機１４０に内蔵されている。すなわち、携帯機１４０を所有したユーザが所定の距離に近接すると、電子制御装置１１０によって送受信機１２０のアンテナコイル１２２から出力された起動信号（低周波数）を携帯機１４０がトランスポンダ１５０によって受信する。なお、この起動信号は、電子制御装置１１０からアンテナコイル１２２を介して出力される所定の周波数の発振信号であり、放射される起動信号をトランスポンダ１５０が受信することにより携帯機１４０が起動し、トランスポンダ１５０が、暗号化された携帯機側識別コードＩＤａを送信する。
【００４０】
なお、アンテナコイル１２２は、所定の時間間隔で間欠的に電子制御装置１１０により起動される。そして、所定の周波数による起動信号を送信する。携帯機１４０からの応答信号を送受信機１２０が受信した場合には、その後、現在位置検出部によって携帯機１４０の位置を把握する。
【００４１】
なお、携帯機１４０の携帯機側識別コードＩＤａは、予め電子制御装置１１０に車載側識別コードＩＤｂとして登録されており、電子制御装置１１０は、送受信機１２０を介して入力された携帯機側識別コードＩＤａを登録されている車載側識別コードＩＤｂと照合する。
【００４２】
電子制御装置１１０は、図２に示すように、中央処理装置（以下、ＣＰＵ）１１１、読出専用メモリ（以下、ＲＯＭ）１１２、不揮発性メモリ（以下、ＥＥＰＲＯＭ）１１３、読出及び書込可能なメモリ（以下、ＲＡＭ）１１４、所定時間をカウントするタイマ１１５等から構成されている。
【００４３】
ＣＰＵ１１１は、ＲＯＭ１１２に記憶された制御プログラムに従って、後述する正常時のコード照合処理、識別コード入力モード時のコード照合処理等の種々の演算処理を実行する。
【００４４】
ＥＥＰＲＯＭ１１３は、携帯機１４０の携帯機側識別コードＩＤａと一致する車載側識別コードＩＤｂを記憶している。
【００４５】
また、ＥＥＰＲＯＭ１１３は、記憶手段を構成している。ＲＡＭ１１４は、ＣＰＵ１１１の演算処理結果を一時記憶するようになっている。
【００４６】
ＣＰＵ１１１は、電子制御装置１１０によって起動したアンテナコイル１２２から所定の周波数の発振信号を所定の時間間隔で間欠的に送信する。その発振信号に応答して、携帯機１４０から送受信機１２０に送信される携帯機１４０のトランスポンダに記憶された携帯機側識別コードＩＤａを送受信機１２０が受信し、ＣＰＵ１１１に入力する。
【００４７】
ＣＰＵ１１１は、この入力した携帯機側識別コードＩＤａをＥＥＰＲＯＭ１１３に記憶する車載側識別コードＩＤｂと照合する。
【００４８】
＜光照射部、操作意思検出部等の構成＞
図３から図６を用いて、本実施形態に係る光照射部、操作意思検出部等の構成について説明する。
【００４９】
光照射部２００、操作意思検出部４００等は、送信光線５．１、５．２を生成して監視領域３に放射する少なくとも１つの光送信器１１、１２、１３、１４と、結果して生じる受信放射線７．１、７．２を監視領域から受信する少なくとも１つの光受信器１５とを備えている。評価および制御ユニット１９は、オブジェクトを認識するために受信光線７．１、７．２を評価する。
【００５０】
少なくとも１つの第１の光送信器１１は、方向調整された第１の送信光５．１を送信することによって、所定形状を有する第１光照射フィールド３０を監視領域３の表面に生成し、少なくとも１つの第２の光送信器１２、１３は、方向調整された第２の送信光線５．２を送信することによって、所定形状を有する第２光照射フィールド２０を第１光照射フィールド３０の隣接する周辺部に生成する。評価および制御ユニット１９は、第１光照射フィールド３０の表面によって反射された第１の受信光線７．１および第２光照射フィールド２０の表面によって反射された第２の受信光線７．２とを少なくとも１つの光受信器１５を介して受信する。評価および制御ユニット１９は、評価中に、監視領域３で認識されるトリガオブジェクト（例えば、ユーザの足）９によって反射された第２の受信光線７．２に変化がもたらされたことが認識されたこと、且つトリガオブジェクト９によって第１の受信光線７．１には変化がもたらされていないことが認識される場合に出力信号（ＳＡｕｓ）を生成する。
【００５１】
図３に示すように、不可視の第１光照射フィールド３０は、第１検出フィールドを形成し、図示された実施例において、不可視の複数の光ポイント部３２から構成された片側が開口した形状、好ましくはＵ字形および／または蹄鉄形を有する。可視の第２光照射フィールド２０は第２検出フィールドを形成し、第１光照射フィールド３０の開口端に配置されているとともに部分的に第１光照射フィールド３０によって包囲されている、所定の直径を有する単一の可視光ポイント部である。第２光照射フィールド２０の光ポイント部は、第１光照射フィールド３０の個々の光ポイント部３２に対して所定の距離を有している。
【００５２】
図３のように、光照射フィールド３０は、片側に開口した開口端が車両１から離れる方向に向かって車道表面上に照射される。図示の実施例では、光照射フィールド２０，３０は、リヤハッチ（テールゲート）として構成された自動開放式の開閉部２を自動で開放するために、車両１のリヤ領域の車道表面上に発生される。また本発明の非図示の実施形態では、対応の開閉部２の自動開放過程をトリガ（起動ないしリリース）とするために、両方の光照射フィールド２０，３０を、乗車用ドア及び／又はトランクリッドの領域において車道表面上に発生させることもできる。
【００５３】
２つの光照射フィールド２０、３０の１つに入ったトリガオブジェクト９は、対応する光照射フィールド２０、３０の反射を変化させ、したがって検出され得る。２つの光照射フィールド２０、３０は一方向に向かっており、ユーザは、例えば靴をはいた足９を、光ポイント部として形成される第２光照射フィールド２０上に置くことができ、その際、トリガオブジェクト９もしくは足が第２光照射フィールド２０に影響を及ぼさないようにする。例えば動物またはボールなどのオブジェクトが監視領域３を横切った場合には、両方の光照射フィールド２０、３０、すなわち、Ｕ字形状の第１光照射フィールド３０の領域と、光ポイント部として形成された第２光照射フィールド２０の領域において反射の変化がもたらされる。しかしながら、トリガオブジェクト９、ここでは足が、Ｕ字形状の第１光照射フィールド３０の開口領域内に入れられた場合、光ポイント部として形成された第２光照射フィールド２０のみの区別可能な操作が行われる。
【００５４】
図４に示すように、車両１の光学測定装置１０は、両方の光照射フィールド２０，３０の反射状態を、光照射部２００と操作意思検出部４００に配置された、例えばフォトダイオード４１５として、または相応に接続されたＬＥＤ、またはカメラ１５’として形成された光受信器１５を用いて２つの光照射フィールド２０、３０の反射を測定する。光学測定装置１０は、第１光送信器１１を備えており、この第１光送信器１１は、監視領域３の道路表面上に第１光照射フィールド３０の望ましい形状、例えばＵ字形もしくは蹄鉄形を投影するために、互いに特定の角度で配置され、それぞれ１つの所定の放射角を有する複数の発光ダイオード４３０を有する。図示されない代替的な一実施形態では、少なくとも１つの第１光送信器１１は、個々の光ポイント部３２を生成するためにただ１つの送信ダイオードと、第１光照射フィールド３０の個々の光ポイント部３２を望ましい形状で道路表面上に投影するために、送信ダイオードの光を種々異なる所定放射角で分散させる光学系とを有する。
【００５５】
また、第１光送信器１１の発光ダイオード４３０は、第１送信光線５．１を第１周波数領域、例えば、不可視の光スペクトルの周波数を含む赤外線周波数領域で生成する。さらに、光学測定装置１０は第２光送信器１２を備えており、この第２光送信器は、第１光照射フィールド３０の周辺部で道路表面上に望ましい形状の第２光照射フィールド２０もしくは所定の直径の点部（円）を投射するために、所定の放射角を有する赤外線ダイオード（操作意思検出部）４２０を備えている。
【００５６】
図示された実施例においてこの投射は、赤外線周波数領域、すなわち、人の眼には見えない領域での投射が行われる。結果として生じる受信光線７．１、７．２を区別するために、第１送信光線５．１および第２送信光線５．２が時間多重方式によって時間的にずらして発出される。この時間多重方式は、反射した受信光線７．１、７．２を第１または第２光照射フィールド３０、２０により良好に割り当てることを可能にする。第２光照射フィールド２０を見えるようにするために、光学測定装置１０は第３光送信器１３を有している。この第３光送信器は、例えば、第１光照射フィールド３０の周辺の道路表面上に望ましい形状の第２光照射フィールド２０、例えば所定の直径の点部（円）をマーキングするため、およびユーザに見えるようにするために、所定の放射角を有するレーザダイオード３２０を備えている。したがって、第３光送信器１３のレーザダイオード３２０は、可視光スペクトルの周波数領域の放射光を生成する。
【００５７】
本実施形態では、少なくとも１つの第１光送信器１１は、第１周波数領域の第１送信光線５．１を生成し、少なくとも１つの第２光送信器１２は、第１周波数領域とは異なる第２周波数領域の第２送信光線５．２を生成する。このことも同様に、有利にも、反射された第１もしくは第２受信光線７．１、７．２を第１もしくは第２光照射フィールド３０、２０に対して簡単に割り当てることを可能にする。したがって、少なくとも１つの第１光送信器１１は、不可視の光スペクトルの周波数を含む第１周波数領域を有してもよい。第２光送信器１２は、不可視または可視の光スペクトルの周波数を含む第２周波数領域を有してもよい。これは、第２光送信器１２が、不可視の第２光照射フィールド２０、または可視の第２光照射フィールド２０を監視領域３の表面上に生成できることを意味する。ここでも、第２光送信器１２が不可視の光スペクトルの第２送信光線５．２を発出する場合に、第３光送信器１３を、第２光照射フィールド２０のマーキングもしくは可視化のために使用することができる。
【００５８】
第１光送信器１１と第２および第３光送信器１２、１３の発光ダイオード４３０、３２０の所定の放射角によって、自動的に開放されるべき対応する自動開閉式ドア２の周辺の道路表面に、第２光照射フィールド２０が第１光照射フィールド３０の開口端に配置され、少なくとも部分的に第１光照射フィールド３０により包囲され、その際に第１光照射フィールド３０の個々の光ポイント部３２が第２光照射フィールド２０の個々の光ポイント部に対して所定の距離を有するように、２つの光照射フィールド２０、３０の個々の光ポイント部３２を事前設定することができる。
【００５９】
図５に示すように、評価および制御ユニット１９は、少なくとも１つの第１光送信器１１と少なくとも１つの第２光送信器１２とを、ハリオス（Halios（登録商標）：High Ambient Light Independent Optical System）測定原理にもとづいて制御し、オブジェクトを認識するために少なくとも１つの光受信器１５により受信された受信光線７．１、７．２をこのハリオス測定原理で評価する。
【００６０】
この目的で、光学測定装置１０は第４光送信器１４を備えており、この第４光送信器は、少なくとも１つの補償発光ダイオードと、第１光送信器１１および第２光送信器１２を変調するための第１変調器１６と、第４光送信器１４を変調する第２変調器１７と、同期復調器１８とを有する。ハリオス測定原理を適用するために、第４光送信器１４は、第１光送信器１１、および第２光送信器１２のための図示されない補償発光ダイオードを有し、この補償発光ダイオードも、第１光送信器１１および第２光送信器１２と同様に時間多重方式で動作する。
【００６１】
図６による光受信器が少なくとも１つのカメラ１５’によってなる場合、このカメラによって取得される画像が、出力信号ＳＡｕｓを生成するために評価および制御ユニット１９に伝送されて評価される。この評価は、例えば、画像ピクセルのピクセル評価によって行うことができる。
【００６２】
＜車両開閉体制御装置の処理＞
図７を用いて、本実施形態に係る車両開閉体制御装置の処理について説明する。
【００６３】
まず、車両を駐車する際などに切替制御部５００が、車両のシフトレバーの操作位置がリバース位置に切換えられたことを検出すると、人体検出部３００の機能を切替えて障害物検出部として機能させる（ステップＳ１１０）。障害物検出部として機能する人体検出部３００が、車両の開閉体が開閉する軌跡上に障害物を検出する（ステップＳ１２０）。このとき、人体検出部３００が障害物を検出した旨を運転者に報知する（ステップＳ１３０）。
【００６４】
認証部１００は、人が車両に対して所定の距離以内に近づいたことを人体検出部３００で検出したことに応じて実行する、車両に搭載された送受信機とユーザが所有する携帯機との相互認証の結果、ユーザが正規の車両所有者であることを認証する（ステップＳ１４０）。なお、この時、車両のシフトレバーの操作位置は停止位置（パーキング位置または、ニュートラル位置）に設定されている。
【００６５】
次に、操作意思検出部４００は、ステップＳ１２０で障害物が検出されなかった否か判定し（ステップＳ１５０）、ステップＳ１２０で障害物が検出された場合には、光照射部により、操作意思を検知する表示を路面上に照射により形成せず、操作意思検出部４００も、操作意思を検知する表示の表示領域を含む領域に信号を出力しない（ステップＳ１９０）。一方、ステップＳ１２０で障害物が検出されなかった場合には、光照射部により、操作意思を検知する表示を路面上に照射により形成し、操作意思検出部４００も、操作意思を検知する表示の表示領域を含む領域に信号を出力する（ステップＳ１６０）。
【００６６】
車両開閉体制御部６００は、操作意思検出部４００の検出結果に基づいて、ユーザの車両の開閉体のロック／アンロックの操作意思が形成されたかを確認し、開閉体のロック／アンロック状態を制御する（ステップＳ１７０）。そして、車両開閉体駆動部７００は、車両開閉体制御部６００の制御に基づいて、ユーザの操作意思が形成されたことを検知する。その後、その意思に応じた車両開閉体の駆動を行う（ステップＳ１８０）。
【００６７】
以上、説明したように、本実施形態によれば、車両の後方に表示されるユーザの操作意思を検知する表示（操作スポットＸ）を足等で操作できるように、事前に駐車位置を確認して、車両を駐車させることができることにより、駐車が完了したにもかかわらず、駐車位置によって、ユーザの操作意思を検知する表示を足等で操作できない場合を解消することができるという効果がある。すなわち、駐車の際に、後方の壁や他車との距離が、ユーザの操作意思を検知する表示が形成できないほど狭くなってしまったことを人体検出手段の機能を切替えることで検出することができるようになるので、駐車が完了する前に、運転者に警告することでユーザの操作意思を検知する表示を足等で操作できない場合を解消することができる。
【００６８】
また、駐車した際に障害物を検出し、後方に表示されるユーザの操作意思を検知する表示を足等で操作できない場合には、その駐車状況によっては表示をさせないようにすることもできるという効果がある。さらに、光照射手段を利用して路面上の障害物を検出することで、事前に路面上の障害物によって、ユーザの操作意思を検知する表示を足等で操作できない場合を解消することができるという効果がある。
【００６９】
このように、障害物センサを車両に別途備えなくても、既に備えられている人体検出手段や光照射手段を利用して、少ないセンサ数で、車両後方の障害物の検出を可能にし、ユーザの操作意思を検知する表示を足等で操作できない場合を解消することができるという効果がある。
【００７０】
＜第１の変形例＞
図８から図１０を用いて、本発明の第１の変形例について説明する。
【００７１】
本変形例に係る車両開閉体制御装置は、図８に示すように、認証部１００と、光照射部２００と、人体検出部３００と、操作意思検出部４１０と、切替制御部５００と、車両開閉体制御部６００と、車両開閉体駆動部７００と、制御部１０００とから構成されている。
【００７２】
本発明の実施形態では、操作意思検出部４００で扱う信号を不可視光とし、光量の変化によって、ユーザの操作意思を検出していたが、本変形例では、操作意思検出部４１０が超音波を用いて、その位相の変化により、ユーザの操作意思を検出する。具体的には、図９に示すように、操作意思を検知する表示の表示領域を含む領域２１に重複するように超音波信号を出力する。この超音波信号は、図１０に示すように、送信器２２により出力される。これにより、本変形例では、検出精度を維持しながら、装置全体の省電力化を実現することができる。
【００７３】
＜第２の変形例＞
図１１から図１３を用いて、本発明の第１の変形例について説明する。
【００７４】
本変形例に係る車両開閉体制御装置は、図１１に示すように、認証部１００と、光照射部２００と、人体検出部３００と、操作意思検出部４２０と、切替制御部５００と、車両開閉体制御部６００と、車両開閉体駆動部７００と、制御部１０００とから構成されている。
【００７５】
本発明の実施形態では、操作意思検出部４００で扱う信号を不可視光とし、光量の変化によって、ユーザの操作意思を検出していたが、本変形例では、操作意思検出部４２０が、赤外線を用いて、その出力波形と反射波形の変化により、例えば、熱感知を行い、ユーザの操作意思を検出する。具体的には、図１２に示すように、操作意思を検知する表示の表示領域を含む領域２３に赤外線を出力する。この赤外線は、図１３に示すように、送信器２４により出力される。これにより、本変形例では、検出精度を維持しながら、装置全体の省電力化を実現することができる。
【００７６】
なお、車両開閉体制御装置の処理をコンピュータシステムが読み取り可能な記録媒体に記録し、この記録媒体に記録されたプログラムを車両開閉体制御装置に読み込ませ、実行することによって本発明の車両開閉体制御装置を実現することができる。ここでいうコンピュータシステムとは、ＯＳや周辺装置等のハードウェアを含む。
【００７７】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７８】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００７９】
以上、この発明の実施形態につき、図面を参照して詳述してきたが、具体的な構成はこの実施形態に限られるものではなく、この発明の要旨を逸脱しない範囲の設計等も含まれる。例えば、障害検出部として機能する人体検出部や路面障害検出部として機能する光学検知部は、車両後方の車両開閉体に限らず、車両前方や側方の車両開閉体の備えられてもよく、この場合には、車両周囲の障害物を検出しなかった車両前方や側方に、ユーザの操作意思を検知する表示を形成させることができる。
【符号の説明】
【００８０】
１００；認証部
２００；光照射部
３００；人体検出部
４００；操作意思検出部
５００；切替制御部
６００；車両開閉体制御部
７００；車両開閉体駆動部
１０００；制御部
【図１】
0006603049.tif 000002
【図２】
0006603049.tif 000003
【図３】
0006603049.tif 000004
【図４】
0006603049.tif 000005
【図５】
0006603049.tif 000006
【図６】
0006603049.tif 000007
【図７】
0006603049.tif 000008
【図８】
0006603049.tif 000009
【図９】
0006603049.tif 000010
【図１０】
0006603049.tif 000011
【図１１】
0006603049.tif 000012
【図１２】
0006603049.tif 000013
【図１３】
0006603049.tif 000014